(57)【要約】【課題】原稿画像を適切なデータサイズで分割して配信する画像処理装置、情報処理装置、画像配信システム、画像処理方法、プログラムおよび記憶媒体を提供すること。【解決手段】本発明の画像処理装置は、原稿をスキャニングして原稿画像を生成するスキャン手段と、原稿画像をデータサイズによってグループ化し、グループ化された少なくとも１以上の原稿画像で構成される原稿画像群を固有に識別するジョブＩＤを生成し、原稿画像群を構成する原稿画像を固有に識別する原稿画像識別情報を、ジョブＩＤと関連付けて分割情報データベースに登録する分割処理手段と、ジョブＩＤが示す原稿画像群毎に原稿画像群を配信する画像配信処理手段とを含み、原稿画像を特定のデータサイズに分割して配信する。【選択図】  図２
2011061665.tif 000002
【特許請求の範囲】
【請求項１】
原稿画像を配信する画像処理装置であって、前記画像処理装置は、
原稿をスキャニングして原稿画像を生成するスキャン手段と、
前記原稿画像をデータサイズによってグループ化し、グループ化された少なくとも１以上の原稿画像で構成される原稿画像群を固有に識別するジョブＩＤを生成し、前記原稿画像群を構成する原稿画像を固有に識別する原稿画像識別情報を、前記ジョブＩＤと関連付けて分割情報データベースに登録する分割処理手段と、
前記ジョブＩＤが示す原稿画像群毎に前記原稿画像群を配信する画像配信処理手段と
を含む、画像処理装置。
【請求項２】
前記分割処理手段は、ユーザ指定、ネットワーク性能、または前記原稿画像の配信先であるサーバ装置の性能に応じて、前記原稿画像をグループ化するのに使用するデータサイズを決定する、請求項１に記載の画像処理装置。
【請求項３】
前記画像処理装置は、原稿画像の配信処理の実行指令を発行するユーザ・インタフェースを表示する表示処理手段と、
前記ユーザ・インタフェースが発行した配信処理の実行指令を受領する入力受付手段とをさらに含み、
前記配信処理の実行指令は、前記原稿画像に機密情報が含まれることを示す指定情報が含まれており、
前記配信処理の実行指令に前記機密情報が含まれている場合には、前記分割処理手段は分割情報を生成せず、前記画像配信処理手段は、グループ化されていない前記原稿画像を配信する、請求項１または２に記載の画像処理装置。
【請求項４】
原稿画像を配信する情報処理装置であって、前記情報処理装置は、
ネットワークを介して受領した原稿画像をデータサイズによってグループ化し、グループ化された少なくとも１以上の原稿画像で構成される原稿画像群を固有に識別するジョブＩＤを生成し、前記原稿画像群を構成する原稿画像を固有に識別する原稿画像識別情報を、前記ジョブＩＤと関連付けて分割情報データベースに登録する分割処理手段と、
前記ジョブＩＤが示す原稿画像群毎に前記原稿画像群を配信する画像配信処理手段と
を含む、情報処理装置。
【請求項５】
前記分割処理手段は、ユーザ指定、ネットワーク性能、または前記原稿画像の配信先であるサーバ装置の性能に応じて、前記原稿画像をグループ化するのに使用するデータサイズを決定する、請求項４に記載の情報処理装置。
【請求項６】
原稿画像を配信する画像配信システムであって、前記画像配信システムは、ネットワークを介して接続された画像処理装置と、情報処理装置とを含み、
前記画像処理装置は、
原稿をスキャニングして原稿画像を生成するスキャン手段と、
前記原稿画像を、ネットワークを介して前記情報処理装置に送信する通信制御手段とを含み、
前記情報処理装置は、
前記ネットワークを介して受領した原稿画像をデータサイズによってグループ化し、グループ化された少なくとも１以上の原稿画像で構成される原稿画像群を固有に識別するジョブＩＤを生成し、前記原稿画像群を構成する原稿画像を固有に識別する原稿画像識別情報を、前記ジョブＩＤと関連付けて分割情報データベースに登録する分割処理手段と、
前記ジョブＩＤが示す原稿画像群毎に前記原稿画像群を配信する画像配信処理手段とを含む、画像配信システム。
【請求項７】
前記分割処理手段は、ユーザ指定、ネットワーク性能、または前記原稿画像の配信先であるサーバ装置の性能に応じて、前記原稿画像をグループ化するのに使用するデータサイズを決定する、請求項６に記載の画像配信システム。
【請求項８】
原稿画像を配信する画像処理装置が実行する方法であって、前記方法は、前記画像処理装置が、
原稿をスキャニングして原稿画像を生成するステップと、
前記原稿画像をデータサイズによってグループ化し、グループ化された少なくとも１以上の原稿画像で構成される原稿画像群を固有に識別するジョブＩＤを生成し、前記原稿画像群を構成する原稿画像を固有に識別する原稿画像識別情報を、前記ジョブＩＤと関連付けて分割情報データベースに登録するステップと、
前記ジョブＩＤが示す原稿画像群毎に前記原稿画像群を配信するステップと、
を含む、方法。
【請求項９】
前記分割情報データベースに登録するステップは、ユーザ指定、ネットワーク性能、または前記原稿画像の配信先であるサーバ装置の性能に応じて、前記原稿画像をグループ化するのに使用するデータサイズを決定する、請求項８に記載の方法。
【請求項１０】
請求項８または９に記載の各ステップを画像処理装置が実行するためのコンピュータ実行可能なプログラム。
【請求項１１】
請求項１０に記載されたプログラムを記録したコンピュータ可読な記録媒体。
【発明の詳細な説明】
【技術分野】
【０００１】
本発明は、画像処理装置に関し、より詳細には、原稿画像を配信する画像処理装置、情報処理装置、画像配信システム、方法、プログラムおよび記録媒体に関する。
【背景技術】
【０００２】
近年、ネットワークに接続された複合機（以下、ＭＦＰ（Multi Function Peripheral）として参照する。）といった画像処理装置は、ネットワークを介して配信先であるデータサーバ等に対して、スキャニングされた原稿の画像データ（以降、原稿画像として参照する。）を配信する技術が存在する。
【０００３】
原稿画像を配信する技術として、特許文献１は、複数の原稿画像をスキャン処理し、スキャン処理された原稿画像を、利用者が指定するページ数毎に分割し、分割された原稿画像を所定のページ毎にマルチファイル化し、生成されたマルチファイルを配信先に配信する画像処理装置を開示する。
【発明の概要】
【発明が解決しようとする課題】
【０００４】
しかしながら、特許文献１の画像処理装置は、ユーザが指定したページ数やファイル数に基づいて原稿画像を分割するため、分割された原稿画像のデータサイズがユーザの判断に依存することになる。このため、多量の原稿画像を送信する場合に、ユーザが過度に小さなデータサイズとなるようなページ数やファイル数を指定してしまうと、ネットワークに送出されるファイル数が増大し、ネットワーク・トラフィックを増大させる虞がある。また、反対にユーザが、過度に大きなデータサイズとなるようなページ数やファイル数を指定して、そのまま原稿画像の送信を許可してしまうと、送信エラーとなる虞があり、またはネットワークに過度の負荷をかけてしまうことになる。
【０００５】
したがって、原稿画像をネットワーク性能に適したデータサイズで分割して送信する技術が必要とされていた。
【０００６】
通常、ネットワークを介して多量のデータを送信する場合、送信すべきデータを特定のデータサイズで均一に分割して送信する。しかしながら、送信すべきデータが原稿画像である場合、この方法では、送信すべき複数の原稿画像のデータサイズを積算して、１つのファイルとして送信される複数の原稿画像のデータ量が特定のデータサイズに達すると、当該データサイズの境界にある原稿画像が不正に分割されてしまう。この場合、不正に分割された原稿画像は、配信先で正しく表示することができない。
【０００７】
本発明は、上記従来技術の問題に鑑みてなされたものであり、原稿画像を適切なデータサイズで分割して配信する画像処理装置、情報処理装置、画像配信システム、画像処理方法、プログラムおよび記憶媒体を提供することを目的とするものである。
【課題を解決するための手段】
【０００８】
上記課題を解決するために、本発明の画像処理装置は、原稿をスキャニングして原稿画像を生成するスキャン手段と、原稿画像をデータサイズによってグループ化し、グループ化された少なくとも１以上の原稿画像で構成される原稿画像群を固有に識別するジョブＩＤを生成し、原稿画像群を構成する原稿画像を固有に識別する原稿画像識別情報を、ジョブＩＤと関連付けて分割情報データベースに登録する分割処理手段と、ジョブＩＤが示す原稿画像群毎に原稿画像群を配信する画像配信処理手段とを含み、原稿画像を特定のデータサイズに分割して配信する。
【０００９】
また、分割処理手段は、ユーザ指定、ネットワーク性能、または原稿画像の配信先であるサーバ装置の性能に応じて、原稿画像をグループ化するのに使用するデータサイズを決定することにより、ネットワーク環境や配信先のサーバ装置の性能に応じて、送信される原稿画像の大きさを動的に変更することができる。
【００１０】
さらに、本発明の画像処理装置は、原稿画像の配信処理の実行指令を発行するユーザ・インタフェースを表示する表示処理手段と、ユーザ・インタフェースが発行した配信処理の実行指令を受領する入力受付手段とをさらに含み、配信処理の実行指令は、原稿画像に機密情報が含まれることを示す指定情報が含まれており、配信処理の実行指令に機密情報が含まれている場合には、分割処理手段は分割情報を生成せず、画像配信処理手段は、グループ化されていない原稿画像を配信する。これにより、機密情報を含む文書等を分割せずに1つの原稿画像として配信することができ、機密情報の漏洩のリスクを低減することができる。
【００１１】
さらに、本発明は、原稿画像を適切なデータサイズで分割して送信可能とする情報処理装置、画像配信システム、画像処理装置が実行する方法、プログラムおよび記憶媒体を提供する。
【図面の簡単な説明】
【００１２】
【図１】本実施形態の画像配信システム１００の概略図。
【図２】本実施形態の画像処理装置１２０ａの機能ブロック図。
【図３】本実施形態の原稿画像を配信する処理のフローチャートを示した図。
【図４】本実施形態の分割情報を作成する処理のフローチャートを示した図。
【図５】本実施形態の分割情報データベースに登録される分割情報テーブルの実施形態を示した図。
【図６】本実施形態の原稿画像を分割する処理を示した概念図。
【図７】本実施形態の原稿画像の分割データサイズを設定するＵＩの実施形態を示した図。
【図８】他の実施形態の画像配信システム８００の概略図。
【図９】他の実施形態の画像処理装置８２０ａの機能ブロック図。
【発明を実施するための形態】
【００１３】
以下、本発明について実施形態をもって説明するが、本発明は、後述する実施形態に限定されるものではない。図１は、本実施形態の画像配信システム１００の概略図である。画像配信システム１００は、ネットワーク１１０と、ネットワーク１１０に接続される画像処理装置１２０ａ、１２０ｂ、１２０ｃと、サーバ装置１３０とを含んで構成されている。ネットワーク１１０は、例えば、イーサネット（登録商標）およびＴＣＰ／ＩＰプロトコルを使用したネットワークとして構成されている。また、ネットワーク１１０は、ローカルエリアネットワーク（ＬＡＮ）として実装することができる。
【００１４】
画像処理装置１２０ａ、１２０ｂ、１２０ｃは、ＣＣＤ（Charge Coupled Device）センサなどを含んで構成されるスキャナ装置を含むＭＦＰ（Multi Function Peripheral）などの画像処理装置として構成されている。また、画像処理装置１２０ａ、１２０ｂ、１２０ｃは、スキャナ装置で読み取った画像データを、ネットワーク１１０を介してサーバ装置１３０に配信する。また、画像処理装置１２０ａ、１２０ｂ、１２０ｃは、管理端末（図示せず）からネットワーク１１０を介して本実施形態のプログラムを実装し、当該画像処理装置が備える操作パネル等に表示されるユーザ・インタフェース（以降、ＵＩとして参照する。）を提供する。
【００１５】
また、画像処理装置１２０ａ、１２０ｂ、１２０ｃが、ＭＦＰとして実装される場合、プロセッサ、ＲＡＭ、ハーディスク装置（ＨＤＤ）などを含んで実装されており、ＵＮＩＸ（登録商標）、ＬＩＮＵＸ（登録商標）などのＯＳの制御下で、アセンブラ、Ｃ、Ｃ＋＋、ＪＡＶＡ（登録商標）、Ｊａｖａ（登録商標）Ｓｃｒｉｐｔなどのプログラミング言語で記述された本実施形態のプログラムを実行し、後述する機能を当該画像処理装置上で実現する。
【００１６】
サーバ装置１３０は、画像処理装置１２０ａ、１２０ｂ、１２０ｃが送信した画像データを蓄積して管理するファイルサーバや、ＳＭＴＰ（Simple Mail Transfer Protocol）等のプロトコルに準拠して電子メールを送信するメール送信サーバである。
【００１７】
図２は、本実施形態の画像配信システム１００に含まれる画像処理装置１２０ａの機能ブロック図である。以下、図２を参照して、画像処理装置１２０ａが実装する処理機能について説明する。なお、画像処理装置１２０ｂ、１２０ｃについては、画像処理装置１２０ａと同様の機能を実装するので、以下、より詳細な説明は省略する。
【００１８】
画像処理装置１２０ａは、表示処理部２１０と、入力受付部２１２と、スキャン処理部２１４と、配信管理サーバ２２０とを含んでいる。
【００１９】
表示処理部２１０は、画像処理装置１２０ａの操作パネルにＵＩを表示させる機能手段である。ユーザは、操作パネルに表示されたＵＩを使用して、後述する原稿画像の分割データサイズや属性情報、機密情報の有無を指定して、原稿画像の配信処理を開始させることができる。
【００２０】
入力受付部２１２は、画像処理装置１２０ａの操作パネルに表示されるＵＩを用いてユーザが選択した配信処理の実行命令を受領し、スキャン処理部２１４にスキャン処理の実行命令を送付して原稿をスキャンさせ、スキャンにより生成された原稿画像を配信管理サーバ２２０に送信する。送信された原稿画像は、配信管理サーバ２２０の記憶装置に格納される。
【００２１】
本実施形態では、配信処理の実行命令には、ユーザが指定した分割データサイズ、原稿画像の属性情報、および原稿画像の送信先情報が含まれる。分割データサイズとは、分割処理部２２２が複数の原稿画像をグループ化して分割する際に使用するデータサイズであり、本実施形態では、ユーザがＵＩを使用して自由に設定することができる。
【００２２】
原稿画像の属性情報とは、分割処理部２２２が生成する分割情報として登録される分割処理に関する原稿画像の属性情報である。本実施形態では、属性情報として、グループ化された原稿画像群であるセクションの数を示す属性情報（total）、および当該セクションの識別情報である属性情報（Section No）が使用される。
【００２３】
原稿画像の送信先情報とは、原稿画像の配信先の情報であり、本実施形態では、原稿画像を格納すべきサーバ装置１３０やクライアントＰＣ（図示せず）内のディレクトリを指定するパスや、原稿画像のメール送信先のメールアドレスが含まれる。
【００２４】
スキャン処理部２１４は、入力受付部２１２からスキャン処理の実行命令を受領すると、画像処理装置１２０ａに含まれるスキャナ装置（図示せず）に原稿をスキャニングさせ、レベル補正、ガンマ補正、エッジ処理などの画像処理およびＡ／Ｄ変換をして原稿画像を生成し、バッファメモリ等に格納する。
【００２５】
配信管理サーバ２２０は、ネットワーク１１０を介して原稿画像をサーバ装置１３０に配信する機能手段であり、分割処理部２２２と、画像配信処理部２２４と、記憶装置２２６と、分割情報データベース２２８とを含んでいる。
【００２６】
分割処理部２２２は、記憶装置２２６から原稿画像を取得し、ユーザが指定した分割データサイズに従って原稿画像をグループ化する。そして、分割処理部２２２は、グループ化された原稿画像群を固有に識別する情報であるジョブＩＤを生成して、グループ化された原稿画像群に割り当て、グループ化された原稿画像群を構成する原稿画像を固有に識別する情報（以降、原稿画像識別情報として参照する。）をジョブＩＤと関連付けて、分割情報データベース２２８に登録する。
【００２７】
本実施形態では、ユーザが指定した分割データサイズを閾値として、複数の原稿画像をグループ化するが、他の実施形態では、分割処理部２２２が、原稿画像の配信処理の指令に含まれる配信先のサーバ装置の性能に応じて分割データサイズを決定し、閾値として使用することができる。例えば、配信先のサーバ装置が多量のデータを格納する能力を有する場合には、Ｍバイト単位などでデータサイズを指定することができる。一方、配信先のサーバ装置が多量のデータを格納することができない場合には、数Ｋ〜数百Ｋバイト単位でデータサイズを指定することができる。この実施形態では、配信先毎に異なる分割データサイズを予め設定ファイル等に記載しておき、分割処理部２２２は、原稿画像の送信先情報から特定されるサーバ装置と、当該設定ファイルとを参照することにより、配信先に応じて異なる分割データサイズを選択することができる。さらに、分割処理部２２２は、原稿画像の送信先情報から当該原稿画像がメール送信されると判断した場合には、分割データサイズをメール送信に適したサイズに設定することができる。
【００２８】
さらに、他の実施形態では、ネットワークの通信速度等のネットワーク性能に応じて原稿画像の分割データサイズを選択し、分割処理の閾値として使用することができる。この場合、ネットワーク性能に応じた分割データサイズを予め設定ファイル等に記載しておき、分割処理部２２２は、当該設定ファイルとを参照することにより、ネットワーク性能に応じた分割データサイズを選択することができる。
【００２９】
画像配信処理部２２４は、分割情報データベース２２８に登録された分割情報を使用して、原稿画像をサーバ装置１３０に送付する機能手段である。画像配信処理部２２４は、分割情報データベース２２８を参照して、分割情報に含まれるジョブＩＤが示す原稿画像群を記憶装置２２６から取得し、ジョブＩＤ毎に原稿画像群をサーバ装置１３０に順次送信する。本実施形態の画像配信処理では、原稿画像の送信処理を識別する情報としてジョブＩＤを使用することができ、原稿画像の配信した後に、ジョブＩＤを用いて原稿画像の送信処理の状況を確認することができる。
【００３０】
記憶装置２２６は、画像処理装置１２０ａがスキャニングした原稿画像が格納される記憶手段であり、ＥＰＲＯＭ、ＥＥＰＲＯＭ等の不揮発性記憶装置や、ＨＤＤなどの記憶装置である。分割情報データベース２２８は、分割処理部２２２が生成する分割情報が登録されるデータベースである。分割情報データベース２２８内の分割情報は、画像配信処理部２２４が原稿画像をサーバ装置１３０に送信したときに削除してもよく、または、そのままログデータとして残しておくともできる。なお、分割情報については、より詳細に後述する。
【００３１】
他の実施形態では、ユーザは、ＵＩを使用して原稿画像に機密情報が含まれていることを指定することができ、入力受付部２１２は、原稿画像に機密情報が含まれていることを示す指定情報を、分割処理の実行指令とともに配信管理サーバ２２０に送付することができる。配信管理サーバ２２０が当該指定情報を受領すると、分割処理部２２２は分割情報を生成せずに、画像配信処理部２２４は、グループ化されていない原稿画像を配信先であるサーバ装置１３０に配信する。
【００３２】
図３は、本実施形態の原稿画像を配信する処理のフローチャートを示した図である。以下、図３を参照して、原稿画像の配信処理について概説する。
【００３３】
図３の処理は、ステップＳ３００で開始し、ステップＳ３０１で画像処理装置１２０ａの入力受付部２１２が、原稿画像の配信処理の指令を受領し、スキャン処理部２１４に対して原稿のスキャン処理の実行命令を送信する。ステップＳ３０２では、スキャン処理部２１４が原稿をスキャンして原稿画像を生成し、配信管理サーバ２２０に送信する。ステップ３０３では、配信管理サーバ２２０の分割処理部２２２が、原稿画像の分割情報を生成する。ステップ３０４では、配信管理サーバ２２０の画像配信処理部２２４が、分割処理部２２２が生成した分割情報を使用して、原稿画像を配信先であるサーバ装置１３０に順次配信し、ステップＳ３０５で処理が終了する。
【００３４】
図４は、本実施形態の分割処理部２２２が分割情報を作成する処理のフローチャートを示した図である。以下、図４を参照して、分割情報を作成する処理について説明する。
【００３５】
図４の処理は、ステップＳ４００で配信管理サーバ２２０が原稿画像を受領すると、分割処理部２２２を呼び出すことにより開始する。ステップＳ４０１では、分割処理部２２２が、記憶装置２２６に格納されている原稿画像から１番目のページの原稿画像を取得する。ステップＳ４０２では、分割処理部２２２が、ステップＳ４０１で取得した１番目のページの原稿画像のデータサイズを取得する。ステップＳ４０３では、分割処理部２２２が、ステップＳ４０２で取得したデータサイズが閾値以下であるか否か判断する。ステップＳ４０３の判定で、データサイズが閾値以下であると判断された場合には（ｙｅｓ）、処理をステップＳ４０４に分岐する。一方、ステップＳ４０３の判定で、データサイズが閾値より大きいと判断された場合には（ｎｏ）、ステップＳ４１７に分岐し、処理を終了する。本実施形態では、この閾値は、ユーザがＵＩを用いて指定した原稿画像の分割データサイズである。
【００３６】
ステップＳ４０４では、分割処理部２２２が、ステップＳ４０１で取得した１番目のページの原稿画像にジョブＩＤを割り当てる。ステップＳ４０５では、１番目のページの原稿画像識別情報、１番目のページのデータサイズ、および属性情報（Section No）を当該ジョブＩＤと関連付けて、分割情報データベース２２８に登録する。
【００３７】
ステップＳ４０６では、分割処理部２２２が、記憶装置２２６から次のページの原稿画像を取得する。ステップＳ４０７では、分割処理部２２２が、ステップＳ４０６で取得した原稿画像のデータサイズを取得する。ステップＳ４０８では、分割処理部２２２が、ステップＳ４０７で取得したデータサイズが閾値以下であるか否か判断する。ステップＳ４０８でデータサイズが閾値以下であると判断された場合には（ｙｅｓ）、処理をステップＳ４０９に分岐する。一方、ステップＳ４０８でデータサイズが閾値より大きいと判断された場合には（ｎｏ）、ステップＳ４１７に分岐し、処理を終了する。
【００３８】
ステップＳ４０９では、分割処理部２２２が、分割情報データベース２２８を参照して、最新のジョブＩＤに関連付けられた原稿画像群のデータサイズ合計を取得し、ステップＳ４０７で取得したデータサイズと加算する。ステップＳ４１０では、分割処理部２２２が、Ｓ４０９で算出した値が閾値以下であるか否か判断する。本実施形態では、この閾値は、ユーザがＵＩを用いて指定した分割データサイズである。
【００３９】
ステップＳ４１０の判定で、当該算出した値が閾値以下であると判断された場合には（ｙｅｓ）、処理をステップＳ４１１に分岐させる。ステップＳ４１１では、分割処理部２２２が、当該原稿画像の原稿画像識別情報を最新のジョブＩＤに関連付けて、分割情報データベース２２８に登録する。ステップＳ４１２では、分割処理部２２２が、分割情報に含まれるデータサイズ合計として、ステップＳ４０９で算出した値を最新のジョブＩＤに関連付けて、分割情報データベース２２８に登録する。
【００４０】
一方、ステップＳ４１０の判定で、当該算出した値が閾値より大きいと判断された場合には（ｎｏ）、処理をステップＳ４１３に分岐する。ステップＳ４１３では、分割処理部２２２が新たなジョブＩＤおよび属性情報（Section No）を生成する。ステップＳ４１４では、分割処理部２２２が、ステップＳ４１３で生成した属性情報（Section No）および当該原稿画像の原稿画像識別情報を、当該新たなジョブＩＤと関連付けて分割情報データベース２２８に登録する。
【００４１】
ステップＳ４１５では、分割処理部２２２が記憶装置２２６を参照し、処理されていない原稿画像があるか否か判断する。ステップＳ４１５の判定で、処理されていない原稿画像があると判断された場合には（ｙｅｓ）、処理をステップＳ４０６に戻して、処理を反復させる。一方、ステップＳ４１５の判定で、処理されていない原稿画像がないと判断された場合には（ｎｏ）、処理をステップＳ４１６に分岐させ、分割処理部２２２が、原稿画像の属性情報（total）を、当該処理で生成された総てのジョブＩＤと関連付けて分割情報データベース２２８に登録し、ステップＳ４１７で処理が終了する。
【００４２】
図５は、本実施形態の分割情報データベースに登録される分割情報テーブルの実施形態を示した図である。以下、図５を参照して分割情報テーブル５００について説明する。
【００４３】
分割情報テーブル５００には、ジョブＩＤ５１０と、原稿画像識別情報５２０と、データサイズ合計５３０と、属性情報（total）５４０と、属性情報（Section No）５５０とが登録される。
【００４４】
ジョブＩＤ５１０には、分割処理部２２２が分割した原稿画像群を固有に識別する情報が登録される。図５に示す例では、「job_id_0001」、「job_id_0002」、「job_id_0003」、「job_id_0004」等が登録されているが、他の実施形態では、任意の数字や文字列を使用して原稿画像群を識別してもよい。
【００４５】
原稿画像識別情報５２０には、ジョブＩＤが示す原稿画像群を構成する原稿画像の原稿画像識別情報が登録される。図５に示す例では、例えば、ジョブＩＤ「job_id_0001」が示す原稿画像群を構成する原稿画像の原稿画像識別情報として、当該原稿画像が格納されているパスである「D:\\ImageFile\scan_image_0001/ D:\\ImageFile\scan_image_0002」が登録されている。
【００４６】
データサイズ合計５３０には、ジョブＩＤが示す原稿画像群を構成する原稿画像のデータサイズの合計値が登録される。図５に示す例では、ジョブＩＤ「job_id_0001」が示す原稿画像群のデータサイズが「１．５ＭＢ」であることを示している。同様に、ジョブＩＤ「job_id_0002」の原稿画像群のデータサイズは「１．６ＭＢ」、ジョブＩＤ「job_id_0003」の原稿画像群のデータサイズは「１ＭＢ」、ジョブＩＤ「job_id_0004」の原稿画像群のデータサイズは「２ＭＢ」である。
【００４７】
属性情報（total）５４０には、原稿画像の属性情報（total）が登録される。図５に示す例では、属性情報（total）として原稿画像群の総数である「４」が登録されている。属性情報（Section No）５５０には、原稿画像の属性情報（Section No）が登録される。図５に示す例では、属性情報（Section No）として原稿画像群を識別する「１」、「２」、「３」および「４」の数値が登録されている。なお、本実施形態では、属性情報として属性情報（total）および属性情報（Section No）を使用しているが、他の実施形態では、原稿画像の作成日、作成者、バージョン情報等の種々の属性情報を使用することができる。
【００４８】
図６は、本実施形態の原稿画像の分割処理を示した概念図である。以下、図６を参照して、原稿画像をグループ化する分割処理の概念について説明する。
【００４９】
図６には、分割処理前の原稿画像と、分割処理後の原稿画像とが示されている。図６の例では、本実施形態の画像処理装置がスキャンした６ページ分の原稿画像６１０〜６６０が示されており、各原稿画像は、図６に示すデータサイズを有する。本実施形態では、分割処理で閾値として使用する分割データサイズは２ＭＢであり、分割処理部２２２は、当該閾値を使用して、６ページ分の原稿画像６１０〜６６０を４つのグループに分割し、それぞれにジョブＩＤ「job_id_0001」、「job_id_0002」「job_id_0003」、「job_id_0004」を割り当てる。そして、画像配信処理部２２４は、ジョブＩＤが示す原稿画像群を1つの送信単位として、サーバ装置１３０に送信する。
【００５０】
図７は、本実施形態の原稿画像の分割データサイズを設定する分割データサイズ設定ＵＩの実施形態を示した図である。以下、図７を参照して、分割データサイズ設定ＵＩ７１０について説明する。
【００５１】
分割データサイズ設定ＵＩ７１０は、画像処理装置１２０ａ，１２０ｂ，１２０ｃの操作パネルに表示されるＵＩであり、ユーザは、分割データサイズ設定ＵＩ７１０を使用して、分割データサイズを指定することができる。分割データサイズ設定ＵＩ７１０は、フィールド７２０と、フィールド７３０と、フィールド７４０とを含んでいる。フィールド７２０は、分割データサイズを指定するフィールドであり、ユーザが任意の値を入力することができる。フィールド７３０は、分割処理において、フィールド７２０で指定したデータサイズを超える原稿画像が存在すると判断された場合に、当該原稿画像をどのように処理するのかを指定することができる。図７に示す例では、指定したデータサイズを超える原稿画像が存在する場合に、ＵＩにエラーを通知し、またはエラー通知をせずに分割処理を続行することができる。フィールド７４０は、原稿画像の属性情報として使用される数字や文字列を入力するためのフィールドであり、ユーザは属性情報を識別するために任意の数字や文字列を指定することができる。
【００５２】
図８は、他の実施形態の画像配信システム８００の概略図である。画像配信システム８００は、ネットワーク８１０と、ネットワーク８１０に接続される画像処理装置８２０ａ、８２０ｂ、８２０ｃと、配信管理サーバ８３０と、サーバ装置８４０とを含んでいる。図１を参照して説明した画像配信システム１００と比べて、画像配信システム８００は、配信管理サーバ８３０を備えている点で異なるが、その他の点については、画像配信システム１００と同様であるため、以下、共通する点についての説明は省略する。
【００５３】
配信管理サーバ８３０は、画像処理装置８２０ａ、８２０ｂ、８２０ｃからネットワーク８１０を介して原稿画像を受領し、原稿画像に対して分割処理を実行して、配信先であるサーバ装置８４０に配信する。配信管理サーバ８３０は、ＰＥＮＴＩＵＭ（登録商標）または互換プロセッサを搭載し、ＷＩＮＤＯＷＳ（登録商標）２００Ｘサーバ、ＵＮＩＸ（登録商標）、ＬＩＮＵＸ（登録商標）などのＯＳの管理下で、本実施形態のプログラムを実行する。また、配信管理サーバ８３０は、プログラムを実行するための実行空間を提供するＲＡＭ、プログラムやデータなどを持続的に保持するためのＨＤＤなどを含んでおり、本実施形態のプログラムの実行することにより、後述する機能を配信管理サーバ８３０上に実現する。
【００５４】
図９は、図８に示す画像配信システム８００に含まれる画像処理装置８２０ａおよび配信管理サーバ８３０の機能ブロック図である。以下、図９を参照して、画像処理装置８２０ａおよび配信管理サーバ８３０が実装する処理機能について説明する。なお、画像処理装置８２０ｂ、８２０ｃについては、画像処理装置８２０ａと同様の機能を実装するので、以下、より詳細な説明は省略する。また、画像配信システム１００と共通する点についての説明は省略する。
【００５５】
画像処理装置９１０は、表示処理部９１２と、入力受付部９１４と、スキャン処理部９１６と、通信制御部９１８とを含んでいる。通信制御部９１８は、スキャン処理部９１６が生成した原稿画像を、ユーザがＵＩを使用して指定した分割データサイズ、原稿画像の送信先情報、および原稿画像の属性情報とともにネットワーク９３０を介して配信管理サーバ９２０に送信する。
【００５６】
配信管理サーバ９２０は、分割処理部９２２と、画像配信処理部９２４と、記憶装置９２６と、分割情報データベース９２８とを含んでいる。配信管理サーバ９２０は、画像処理装置９１０から原稿画像を受領すると、記憶装置９２６に原稿画像を格納する。次いで、配信管理サーバ９２０は、分割処理部９２２を呼び出し、分割データサイズおよび原稿画像の属性情報を使用して分割情報を生成させる。そして、画像配信処理部９２４は、分割処理部９２２が生成した分割情報を使用して、原稿画像を配信先であるサーバ装置８４０に配信する。
【００５７】
これまで本実施形態につき説明してきたが、本発明は、上述した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【符号の説明】
【００５８】
１００…画像配信システム、１１０…ネットワーク、１２０ａ，１２０ｂ，１２０ｃ…画像処理装置、１３０…サーバ装置、２１０…表示処理部、２１２…入力受付部、２１４…スキャン処理部、２２０…配信管理サーバ、２２２…分割処理部、２２４…画像配信処理部、２２６…記憶装置、２２８…分割情報データベース、８００…画像配信システム、８１０…ネットワーク、８２０ａ，８２０ｂ，８２０ｃ…画像処理装置、８３０…配信管理サーバ、８４０…サーバ装置、９１０…画像処理装置、９１２…表示処理部、９１４…入力受付部、９１６…スキャン処理部、９１８…通信制御部、９２０…配信管理サーバ、９２２…分割処理部、９２４…画像配信処理部、９２６…記憶装置、９２８…分割情報データベース、９３０…ネットワーク
【先行技術文献】
【特許文献】
【００５９】
【特許文献１】特開２００８−１６７２８７号公報
【図１】
2011061665.tif 000003
【図２】
2011061665.tif 000004
【図３】
2011061665.tif 000005
【図４】
2011061665.tif 000006
【図５】
2011061665.tif 000007
【図６】
2011061665.tif 000008
【図７】
2011061665.tif 000009
【図８】
2011061665.tif 000010
【図９】
2011061665.tif 000011